【事件の表示】
　特願２００１−３７０５４６「スーパーキャパシタを用いた電子タイマー」拒絶査定不服審判事件〔平成１５年　６月１３日出願公開、特開２００３−１６９４２９〕について、次のとおり審決する。
【結　論】
　本件審判の請求は、成り立たない。
【理　由】
１．手続の経緯
　本件出願（以下「本願」という。）は、平成１３年１２月４日を出願日とする出願であって、平成１８年４月１１日付で拒絶査定がなされ、これに対し、同年７月１４日に拒絶査定不服審判の請求がなされるとともに、同年７月２７日付で手続補正がなされたものである。
　
２．本願発明の認定
　平成１８年７月２７日付の手続補正書によって特許請求の範囲についてされた補正は、その補正の内容から見て平成１８年改正前特許法第１７条の２第４項第４号に掲げる「明りょうでない記載の釈明」を目的とするものであって、同法１７条の２の規定に適合するから、該補正は適法になされたものである。
　よって、本願の請求項２に係る発明（以下「本願発明」という。）は、上記手続補正書の特許請求の範囲の請求項２に記載された事項により特定される、以下のとおりのものと認定する。
「外部電源によって動作する電子タイマーの回路であって、前記電子タイマーは接続スイッチを制御し、これによって、前記外部電源は前記スイッチを通して電力を負荷に供給し、前記回路は、
　スーパーキャパシタと、
　前記接続スイッチをオン状態あるいはオフ状態に制御し、前記電子タイマーを形成するために前記キャパシタと並列に接続される電磁リレーとを備え、
　前記外部電源は、前記スイッチをオン状態に設定するために、前記キャパシタを充電し、前記リレーを動作させ、前記外部電源は、前記スイッチがオン状態のときに前記負荷に電力を供給し、
　前記外部電源が前記電子タイマーに電力の供給を止めたときに、前記キャパシタは、しばらくの間、前記スイッチをオン状態に保つために前記リレーを動作させる
　ことを特徴とする電子タイマー。」
　
３．引用文献の記載発明
　原査定の拒絶の理由に引用された実願昭５８−２０４４８１号（実開昭６０−１０９２４４号）のマイクロフィルム（以下「引用文献」という。）には、「遅延釈放形限時継電器」と題して、図面とともに次の事項が記載されている。
・「〔技術的背景〕
　一般リレーシーケンス回路においてリミツトスイツチなどの動作を確認するために限時継電器が用いられる。」（明細書第１頁第１４行−第２頁第２行）
　
・「〔考案の目的〕　
　本考案の目的は、小形で安価な遅延釈放形限時継電器を提供することにある。
　〔考案の概要〕
　リレーコイルと直列にサイリスタを接続し、そのゲート回路をオン限時用の時定数回路とツエナダイオードにより構成する一方、リレーコイルとサイリスタの直列回路と並列にオフ限時用の時定数回路を接続し、オン時，オフ時共限時動作させるようにしている。
　〔実施例〕
　第１図は本考案の一実施例を示すもので、１はリレーコイル、２はオン限時回路、３はオフ限時回路、４は接点、５は駆動接点である。前記オン限時回路２は、前記リレーコイル１と直列接続されたサイリスタ２Ａ、抵抗２Ｂ及びコンデンサ２Ｃの直列回路よりなり、サイリスタ２Ａに並列接続された時定数回路、サイリスタ２Ａのゲートと抵抗２Ｂ、コンデンサ２Ｃの接続点との間に接続されたツエナダイオード２Ｄにより構成されており、この回路２のサイリスタ２Ａとコイル１の直列回路は駆動接点５を介して直流電源Ｐ，Ｎ間に接続されている。
　また、前記オフ限時回路３は、抵抗３Ａ及びコンデンサ３Ｂの直列回路よりなり、前記サイリスタ２Ａとコイル１の直列回路に並列に接続されている。
　次に、動作について述べる。駆動接点５が閉路すると、オン限時回路２のコンデンサ２Ｃが充電され、その電圧が一定値以上になつた時点（オン設定時限）でツエナダイオード２Ｄが導通する。この導通によりサイリスタ２Ａがオンし、コイル１が励磁されて、接点４が閉路する。つまり、オン限時動作が行われる。
　この間、オフ限時回路３のコンデンサ３Ｂも充電されており、オフ動作時に駆動接点５が開路しても、コイル１はコンデンサ３Ｂの充電電圧により励磁状態が維持され、一定時間（オフ設定時限）後にリレー接点４が開路する。つまり、オフ限時動作が行われる。
　第２図は交流回路用とした場合であり、６は単相全波整流回路であつて、その入力側が駆動接点５を介して交流電源Ｒ，Ｓ間に接続され、出力側に前記実施例の直流リレー回路が接続されている。
　この場合には、整流回路６の整流出力で駆動されることになり、そのオン限時動作及びオフ限時動作は前述と同様である。」（同書第２頁第６行−第５頁第７行）
　
　これらの記載事項及び図示内容を総合すると、引用文献には次の発明が記載されていると認めることができる。
「電源によって動作する遅延釈放形限時継電器の回路であって、前記遅延釈放形限時継電器はリレー接点を動作させ、前記回路は、
　オフ限時回路のコンデンサと、
　前記リレー接点を閉路あるいは開路に動作させ、前記遅延釈放形限時継電器を形成するために前記オフ限時回路のコンデンサと並列に接続されるリレーコイルとを備え、
　前記電源は、前記リレー接点を閉路するために、前記オフ限時回路のコンデンサを充電し、前記リレーコイルを励磁させ、
　オフ動作時に駆動接点が開路しても、前記リレーコイルは前記オフ限時回路のコンデンサの充電電圧により励磁状態が維持され、一定時間後に前記リレー接点が開路する遅延釈放形限時継電器。」（以下「引用発明」という。）
　
４．対比
　そこで、本願発明と引用発明とを対比する。
　引用発明の「電源」は本願発明の「外部電源」に相当し、以下同様に、「遅延釈放形限時継電器」は「電子タイマー」に、「接続スイッチ」は「リレー接点」に、「動作させ」は「制御し」に、「オン状態」は「閉路」に、「オフ状態」は「開路」に、「リレーコイル」は「電磁リレー」に、「閉路するために」は「オン状態に設定するために」に、「励磁させ」は「動作させ」に、「オフ動作時に駆動接点が開路しても、リレーコイルはオフ限時回路のコンデンサの充電電圧により励磁状態が維持され、一定時間後にリレー接点が開路する」は「外部電源が前記電子タイマーに電力の供給を止めたときに、キャパシタは、しばらくの間、スイッチをオン状態に保つためにリレーを動作させる」にそれぞれ相当する。
　引用発明の「オフ限時回路のコンデンサ」と本願発明の「スーパーキャパシタ」は、「キャパシタ」の概念で共通している。
　
　すると、本願発明と引用発明は次の点で一致する。
「外部電源によって動作する電子タイマーの回路であって、前記電子タイマーは接続スイッチを制御し、前記回路は、
　キャパシタと、
　前記接続スイッチをオン状態あるいはオフ状態に制御し、前記電子タイマーを形成するために前記キャパシタと並列に接続される電磁リレーとを備え、
　前記外部電源は、前記スイッチをオン状態に設定するために、前記キャパシタを充電し、前記リレーを動作させ、
　前記外部電源が前記電子タイマーに電力の供給を止めたときに、前記キャパシタは、しばらくの間、前記スイッチをオン状態に保つために前記リレーを動作させる電子タイマー。」
　
　一方で、本願発明と引用発明は次の相違点１及び２で相違する。
　
＜相違点１＞
　本願発明においては、「電子タイマーは接続スイッチを制御し、これによって、外部電源は前記スイッチを通して電力を負荷に供給」するとしており、かつ、「外部電源は、スイッチがオン状態のときに負荷に電力を供給」するとしているのに対して、引用発明においては、電源と負荷との関係は特定されていない点。
＜相違点２＞
　「キャパシタ」に関し、本願発明では、「スーパーキャパシタ」に特定されているのに対し、引用発明では、かかる特定がなされていない点。
　
５．相違点についての判断
　上記相違点１及び２について検討する。
　
　まず、上記相違点１について検討する。
　引用発明において、負荷の使用目的や条件等を考慮して接続スイッチにより負荷の電力供給をオン状態やオフ状態に動作させるようにすることは、当業者が適宜なし得たことといえる。したがって、引用発明において、上記相違点１に係る本願発明の構成とすることは、当業者が格段の困難性を伴うことなくなし得たことというべきである。
　
　次に、上記相違点２について検討する。
　キャパシタの技術分野において、スーパーキャパシタは、特開２００１−２７２４４４号公報（段落【００１４】等参照。）及び特開２００１−３２０８２８号公報（段落【００３４】等参照。）に開示されており、周知のものといえる。
　引用発明において、キャパシタの種類は、電子タイマーの使用目的によって決められる接続スイッチのオン状態時間に応じて当業者が適宜選択すべきものといえるから、引用発明のキャパシタを上記周知のスーパーキャパシタとすることにより上記相違点２に係る本願発明の構成とすることは、当業者が格段の困難性を伴うことなくなし得たことというべきである。
　
　そして、本願発明の全体構成が奏する効果も、引用発明及び上記周知のものから当業者が予測し得た範囲内のものである。
　
　したがって、本願発明は引用発明及び上記周知のものに基づいて当業者が容易に発明をすることができたものである。
　
６．むすび
　以上のとおりであるから、本願発明については、特許法第２９条第２項の規定により特許を受けることができない。